(57)【要約】      （修正有）【課題】多機能マッサージ器を提供する。【解決手段】機構本体、機構本体上に設けられる揉み施療子および揺動アーム３を含む。前記機構本体は、機構ケーシング１１と、機構ケーシング内に設けられるモータ１２と、モータに従動する第１伝動アセンブリおよび第２伝動アセンブリ１４とを含み、第１伝動アセンブリは、揉み施療子が回転して揉み式マッサージを実現するように、揉み施療子に伝動し、前記第２伝動アセンブリは、揺動アームが左右に偏心揺動して叩き式マッサージを実現するように、揺動アームに伝動する。【選択図】図１
0003207477.tif 000002
【実用新案登録請求の範囲】
【請求項１】
機構本体、機構本体上に設けられる揉み施療子及び揺動アームを含み、前記機構本体は、機構ケーシングと、機構ケーシング内に設けられるモータと、モータに従動する第１伝動アセンブリおよび第２伝動アセンブリとを含み、第１伝動アセンブリは、揉み施療子が回転して揉み式マッサージを実現するように、揉み施療子に伝動し、前記第２伝動アセンブリは、揺動アームが左右に偏心揺動して叩き式マッサージを実現するように、揺動アームに伝動することを特徴とする、多機能マッサージ器。
【請求項２】
前記第１伝動アセンブリは、ウォーム、ウォームホイールおよび平歯車からなり、ウォームはモータのモータ軸に接続して動力をウォームホイールに伝達し、ウォームホイールは平歯車に噛合して、動力を平歯車に伝達し、揉み施療子は、平歯車の中心軸上に取り付けられて、平歯車の中心軸の駆動下で回転することを特徴とする、請求項１に記載の多機能マッサージ器。
【請求項３】
前記揉み施療子の頂面に施療凸粒が設けられ、中間部に平歯車の中心軸に接続する軸孔が設けられることを特徴とする、請求項２に記載の多機能マッサージ器。
【請求項４】
前記第２伝動アセンブリは、小プーリ、ベルト、大プーリ、伝動軸、偏心回転ベース、軸受および軸受ベースからなり、小プーリは、モータのモータ軸上に設置され、ベルトを介して動力を大プーリに伝達し、大プーリは伝動軸に接続され、偏心回転ベースは２つが採用され、互いに離隔して伝動軸上に取り付けられ、偏心回転ベースは軸受および軸受ベースに接続され、揺動アームの両端は軸受ベース上に接続され、伝動軸は大プーリに従動し、伝動軸が偏心回転ベースに伝動し、偏心回転ベースが、揺動アームを左右に偏心揺動するように従動させることを特徴とする、請求項１に記載の多機能マッサージ器。
【請求項５】
該揺動アームの両端に、叩き施療子が設けられることを特徴とする、請求項４に記載の多機能マッサージ器。
【請求項６】
前記揺動アームの両端と軸受ベースとの接続箇所に、ゴム減振パッドが設けられることを特徴とする、請求項４に記載の多機能マッサージ器。 
【考案の詳細な説明】
【技術分野】
【０００１】
本実用新案は、多機能マッサージ器に関するものである。
【背景技術】
【０００２】
マッサージ器製品は不断に更新され、機能も益々豊富で、多様化している。市場でよく目にする施療子付きのマッサージ器は、施療子が出力軸の駆動下で回転し、回転する揉み運動を発生して、人体に対して揉み式マッサージを実施するが、マッサージ機能が単一であり、マッサージ効果は理想的とは言えず、実際に改良の必要があるため、本願が考案された。
【考案の概要】
【考案が解決しようとする課題】
【０００３】
この点に鑑み、本実用新案では、マッサージ器の使用機能がさらに向上した多機能マッサージ器が提供されている。
【課題を解決するための手段】
【０００４】
上記目的を達成するため、本実用新案の技術案は以下の通りである。機構本体、機構本体上に設けられる揉み施療子および揺動アームを含む多機能マッサージ器であって、前記機構本体は、機構ケーシングと、機構ケーシング内に設けられるモータと、モータに従動する第１伝動アセンブリおよび第２伝動アセンブリとを含み、第１伝動アセンブリは、揉み施療子が回転して揉み式マッサージを実現するように、揉み施療子に伝動し、前記第２伝動アセンブリは、揺動アームが左右に偏心揺動して叩き式マッサージを実現するように、揺動アームに伝動する。
【０００５】
前記第１伝動アセンブリは、ウォーム、ウォームホイールおよび平歯車からなり、ウォームはモータのモータ軸に接続して動力をウォームホイールに伝達し、ウォームホイールは平歯車に噛合して、動力を平歯車に伝達し、揉み施療子は、平歯車の中心軸上に取り付けられて、平歯車の中心軸の駆動下で回転する。
【０００６】
前記揉み施療子の頂面に施療凸粒が設けられ、中間部に平歯車の中心軸に接続する軸孔が設けられる。
【０００７】
前記第２伝動アセンブリは、小プーリ、ベルト、大プーリ、伝動軸、偏心回転ベース、軸受および軸受ベースからなり、小プーリは、モータのモータ軸上に設置され、ベルトを介して動力を大プーリに伝達し、大プーリは伝動軸に接続され、偏心回転ベースは２つが採用され、互いに離隔して伝動軸上に取り付けられ、偏心回転ベースは軸受および軸受ベースに接続され、揺動アームの両端は軸受ベース上に接続され、伝動軸は大プーリに従動し、伝動軸が偏心回転ベースに伝動し、偏心回転ベースが、揺動アームを左右に偏心揺動するように従動させる。
【０００８】
該揺動アームの両端に、叩き施療子が設けられる。
【０００９】
前記揺動アームの両端と軸受ベースとの接続箇所に、ゴム減振パッドが設けられる。
【考案の効果】
【００１０】
上記構造を採用した場合、機構本体のモータが動作すると、第１伝動アセンブリを介して揉み施療子の回転運動を駆動し、人体に対して揉み式マッサージを実施するとともに、第２伝動アセンブリを介して揺動アームの左右偏心揺動を駆動し、人体に対して叩き式マッサージを実施するため、マッサージ器のマッサージ方式が豊富となっており、マッサージ機能は多様化し、マッサージ効果はより良好となっている。
【図面の簡単な説明】
【００１１】
【図１】本実用新案におけるマッサージ器部分の構造分解図である。
【図２】本実用新案におけるマッサージ器部分の組合せ構造概略図である。
【図３】本実用新案におけるマッサージ器の組合せ断面図である。
【図４】本実用新案におけるマッサージ器の組合せ概略図である。
【図５】本実用新案におけるマッサージ器の組合せ概略図である。
【考案を実施するための形態】
【００１２】
以下においては、添付図面および具体的な実施例に基づき本実用新案について詳細に説明する。
【００１３】
図１〜図５に示されている通り、本実用新案の多機能マッサージ器は、機構本体１、機構本体１上に組み付けられている揉み施療子２および揺動アーム３を含み、前記機構本体１は、機構ケーシング１１と、機構ケーシング１１内に設けられるモータ１２と、モータ１２に従動する第１伝動アセンブリ１３および第２伝動アセンブリ１４とを含む。
【００１４】
前記第１伝動アセンブリ１３は揉み施療子２に伝動し、本実施例において、該第１伝動アセンブリ１３は、好適には２組設置され、それぞれ２つの揉み施療子２が従動するが、具体的な実施時にはこの限りではなく、該第１伝動アセンブリ１３は、ウォーム１３１、ウォームホイール１３２および平歯車１３３からなり、ウォーム１３１はモータ１２のモータ軸に接続されて動力をウォームホイール１３２に伝達し、ウォームホイール１３２は平歯車１３３に噛合し、さらに動力を平歯車１３３に伝達し、揉み施療子２は平歯車１３３の中心軸上に取り付けられ、該前記揉み施療子２は平歯車１３３の中心軸の駆動下で回転し、揉み施療子２の頂面に施療凸粒２１が設けられ、中間部に平歯車１３３の中心軸に接続する軸孔２２が設けられる。
【００１５】
前記第２伝動アセンブリ１４は揺動アーム３に伝動し、小プーリ１４１、ベルト１４２、大プーリ１４３、伝動軸１４４、偏心回転ベース１４５、軸受１４６および軸受ベース１４７からなり、小プーリ１４１は、モータ１２のモータ軸上に設置され、ベルト１４２を介して動力を大プーリ１４３に伝達し、大プーリ１４３は伝動軸１４４に接続され、偏心回転ベース１４５は２つのピンにより互いに離隔して伝動軸１４４上に固定され、偏心回転ベース１４５は軸受１４６および軸受ベース１４７に接続され、伝動軸１４４の両端が位置決め軸受１４９上に取り付けられ、揺動アーム３の両端が２つの減振ゴムパッド１４８を介して軸受ベース１４７上に接続され、大プーリ１４３が回動すると、伝動軸１４４の回動を駆動し、伝動軸１４４が偏心回転ベース１４５に伝動し、さらに偏心回転ベース１４５を介して揺動アーム３の左右偏心揺動を駆動し、該揺動アーム３の両端に叩き施療子３１が設けられる。
【００１６】
上記構造を採用した場合、本実用新案のモータ１２が動作すると、第１伝動アセンブリ１３を介して揉み施療子２の回転運動を駆動し、人体に対して揉み式マッサージを実施するとともに、第２伝動アセンブリ１４を介して揺動アーム３の左右偏心揺動を駆動し、人体に対して叩き式マッサージを実施するため、マッサージ器のマッサージ方式が豊富となっており、マッサージ機能は多様化し、マッサージ効果はより良好となっている。
【００１７】
以上の記載は、本実用新案の好適な実施例に過ぎず、本実用新案の実施範囲を限定するものではない。そのため、本実用新案の実用新案登録請求の範囲および明細書に依拠して施された変更または修飾は、いずれも本実用新案がカバーする範囲内に属しているものとする。 
【図１】
0003207477.tif 000003
【図２】
0003207477.tif 000004
【図３】
0003207477.tif 000005
【図４】
0003207477.tif 000006
【図５】
0003207477.tif 000007